(57)【要約】【課題】  いわゆるマニュアル予約を行った場合でも、予約対象となっている番組の情報を知ることができる放送受信装置を提供する。【解決手段】  ＣＰＵは、前記マニュアル予約によるチャンネルと日と開始時刻と終了時刻とに基づいて、これらに符合する番組及びその前後の番組についての情報を取得する。そして、前記情報に基づいて例えば横軸を時間軸とし、この時間軸に沿って番組の配列を示すとともに、予約時間帯については他とは区別される色等を付加した画像を生成し、ＯＳＤ回路に与える。これにより、番組配列並びに予約時間帯が明示されたインジケータ画像がディスプレイ上に表される。【選択図】        図３
2007060321.tif 000002
【特許請求の範囲】
【請求項１】
番組情報を取得して記憶する手段と、チャンネルと日と開始時刻と終了時刻とからなる直接入力を行うことができる予約条件に基づいて番組の予約処理を行う手段と、前記予約条件に符合する番組を前記番組情報から抽出し、この抽出した番組の情報を前記予約条件が入力される画面上に表示する手段と、を備えたことを特徴とする放送受信装置。
【請求項２】
請求項１に記載の放送受信装置において、前記予約条件に符合する番組が存在しない場合、番組が存在しないことを示すメッセージを表示することを特徴とする放送受信装置。
【請求項３】
請求項１又は請求項２に記載の放送受信装置において、前記予約条件に符合する番組の前後の番組についてもその情報を前記予約条件が入力される画面上に表示することを特徴とする放送受信装置。
【請求項４】
請求項１又は請求項２に記載の放送受信装置において、前記予約条件に符合する番組の情報を時間軸上に並べて表示するとともに、前記予約条件に符合する番組及び番組の部分を他の部分と異なる形態で表示することを特徴とする放送受信装置。
【請求項５】
請求項３に記載の放送受信装置において、前記予約条件に符合する番組及びその前後の番組の情報を時間軸上に並べて表示するとともに、前記予約条件に符合する番組及び番組の部分を他の部分と異なる形態で表示することを特徴とする放送受信装置。
【請求項６】
請求項１乃至請求項５のいずれかに記載の放送受信装置において、前記予約条件として前記開始時刻が存在している場合に、前記番組情報に基づいて判断される番組の放送時間中に前記開始時刻が存在するかどうかを判断し、存在すると判断したとき、当該番組の途中から予約処理が行われることを示すメッセージを前記予約条件が入力される画面に表示することを特徴とする放送受信装置。
【請求項７】
請求項１乃至請求項６のいずれかに記載の放送受信装置において、前記予約条件として前記終了時刻が存在している場合に、前記番組情報に基づいて判断される番組の放送時間中に前記終了時刻が存在するかどうかを判断し、存在すると判断したとき、当該番組の途中で予約処理が終了することを示すメッセージを前記予約条件が入力される画面に表示することを特徴とする放送受信装置。
【請求項８】
請求項１乃至請求項７のいずれかに記載の放送受信装置において、前記予約条件として前記開始時刻と終了時刻とが存在している場合に、前記番組情報に基づいて判断される番組の放送時間が前記開始時刻と終了時刻との間に存在するかどうかを判断し、存在すると判断したとき、当該番組は全て予約処理されることを示すメッセージを前記予約条件が入力される画面に表示することを特徴とする放送受信装置。
【請求項９】
請求項１乃至請求項８のいずれかに記載の放送受信装置において、番組の放送に変更があった場合に、前記予約条件が入力される画面を表示するとともに、この画面上で前記変更を反映させた番組の情報を表示することを特徴とする放送受信装置。
【発明の詳細な説明】
【技術分野】
【０００１】
この発明は、放送を受信する放送受信装置に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時間、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）表示機能によって多チャンネル放送のなかからユーザが望む番組を選択することができる。更に、ＥＰＧ表示機能を用い、放送予定されている番組をＥＰＧ上で選択して視聴予約や録画予約を行うことができる（特許文献１参照）。
【０００４】
【特許文献１】特開２００１−２８５７３２号公報
【発明の開示】
【発明が解決しようとする課題】
【０００５】
ところで、このようなディジタル放送受信装置においても、チャンネルと日と開始時刻と終了時刻とを指定した予約処理（以下、マニュアル予約という）が行える。しかしながら、マニュアル予約では、前記ＥＰＧ上での予約と異なり、実際にどのような番組が予約の対象になっているのか分からない。
【０００６】
この発明は、上記の事情に鑑み、いわゆるマニュアル予約を行った場合でも、予約対象となっている番組を知ることができる放送受信装置を提供することを目的とする。
【課題を解決するための手段】
【０００７】
この発明の放送受信装置は、上記の課題を解決するために、番組情報を取得して記憶する手段と、チャンネルと日と開始時刻と終了時刻とからなる直接入力を行うことができる予約条件に基づいて番組の予約処理を行う手段と、前記予約条件に符合する番組を前記番組情報から抽出し、この抽出した番組の情報を前記予約条件が入力される画面上に表示する手段と、を備えたことを特徴とする（以下、この項において第１構成という）。
【０００８】
上記の構成であれば、いわゆるマニュアル予約を行った場合でも、予約対象となっている番組の情報を知ることができる。
【０００９】
前記第１構成の放送受信装置において、前記予約条件に符合する番組が存在しない場合、番組が存在しないことを示すメッセージを表示することとしてもよい（以下、この項において第２構成という）。
【００１０】
第１構成又は第２構成の放送受信装置において、前記予約条件に符合する番組の前後の番組についてもその情報を前記予約条件が入力される画面上に表示することとしてもよい（以下、この項において第３構成という）。
【００１１】
第１構成又は第２構成の放送受信装置において、前記予約条件に符合する番組の情報を時間軸上に並べて表示するとともに、前記予約条件に符合する番組及び番組の部分を他の部分と異なる形態で表示することとしてもよい。
【００１２】
第３構成の放送受信装置において、前記予約条件に符合する番組及びその前後の番組の情報を時間軸上に並べて表示するとともに、前記予約条件に符合する番組及び番組の部分を他の部分と異なる形態で表示することとしてもよい。
【００１３】
これら構成の放送受信装置において、前記予約条件として前記開始時刻が存在している場合に、前記番組情報に基づいて判断される番組の放送時間中に前記開始時刻が存在するかどうかを判断し、存在すると判断したとき、当該番組の途中から予約処理が行われることを示すメッセージを前記予約条件が入力される画面に表示することとしてもよい。
【００１４】
これら構成の放送受信装置において、前記予約条件として前記終了時刻が存在している場合に、前記番組情報に基づいて判断される番組の放送時間中に前記終了時刻が存在するかどうかを判断し、存在すると判断したとき、当該番組の途中で予約処理が終了することを示すメッセージを前記予約条件が入力される画面に表示することとしてもよい。
【００１５】
これら構成の放送受信装置において、前記予約条件として前記開始時刻と終了時刻とが存在している場合に、前記番組情報に基づいて判断される番組の放送時間が前記開始時刻と終了時刻との間に存在するかどうかを判断し、存在すると判断したとき、当該番組は全て予約処理されることを示すメッセージを前記予約条件が入力される画面に表示することとしてもよい。
【００１６】
これら構成の放送受信装置において、番組の放送に変更があったことを判断した場合に、前記予約条件が入力される画面を表示するとともに、この画面上で前記変更を反映させた番組の情報を表示することとしてもよい。
【発明の効果】
【００１７】
この発明であれば、いわゆるマニュアル予約を行った場合でも、予約対象となっている番組の情報を知ることができる。
【発明を実施するための最良の形態】
【００１８】
以下、この発明の実施形態を図１乃至図５に基づいて説明するが、ここではＢＳディジタル放送が受信される場合を例示している。勿論、地上ディジタル、ケーブル放送、インターネット放送を受信する受信装置とすることもできる。
【００１９】
図１はこの実施形態のディジタル放送受信装置３０を示したブロック図である。図１において、アンテナ１は、屋外において所定の方向に向けて配置されており、ＢＳ（Ｂｒｏａｄｃａｓｔｉｎｇ  Ｓａｔｅｌｌｉｔｅ）から送られてくるディジタル放送波を受信する。このアンテナ１は、一般に周波数変換器を備え、受信／周波数変換した信号をチューナ２に与える。
【００２０】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２１】
デマルチプレクサ（ＤＥＭＵＸ）３は、チューナ２から出力されるトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３におけるＴＳデコーダ３ａは、ユーザによって選択された番組を構成するトランスポートストリーム（パーシャルＴＳ）をＣＰＵ１７の指令に基づいて取り出してストリーム記録・再生部４に供給し、ＡＶデコーダ７へはビデオストリーム及びオーディオストリームを供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。更に、ＳＩには番組情報（番組名、番組開始時刻、番組継続時間、番組内容情報、番組ジャンル情報等）が含まれている。そして、番組情報中のＥＩＴ（Ｅｖｅｎｔ  Ｉｎｆｏｒｍａｔｉｏｎ  Ｔａｂｌｅ）により、番組名称、放送日、番組内容情報などを取得することができる。番組予約録画処理のために、番組情報は後述するメモリ１８に格納される。
【００２２】
ストリーム記録・再生部４は、外部録画装置（Ｄ−ＶＨＳ、ハードディスク、ＭＯ等）３１との間でＩＥＥＥ１３９４インターフェース５を通じてデータや制御信号のやりとりを行い、ＴＳデコーダ３ａから出力されたパーシャルＴＳ等を外部録画装置３１に書き込み（記録）、また、外部録画装置３１からパーシャルＴＳ等を読み出すことができる（再生）。勿論、図示しない内部記録装置（ハードディスク等）を備え、この内部記録装置に記録することとしてもよい。
【００２３】
ＡＶデコーダ７は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。
【００２４】
映像処理回路８は、ＡＶデコーダ７から映像データを受け取ってＤ／Ａ変換を行い、例えばＮＴＳＣコンポジット信号に変換する。音声処理回路９は、ＡＶデコーダ７から出力された音声データを受け取ってＤ／Ａ変換を行い、例えば右（Ｒ）音のアナログ信号及び左（Ｌ）音のアナログ信号を生成する。映像出力回路１０及び音声出力回路１１は、出力抵抗や増幅器等を備えて成り、前記映像信号及び音声信号を、ディスプレイやスピーカを備えるモニタ１４に供給する。
【００２５】
ＯＳＤ回路１９は、ＣＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＣＰＵ１７が受け取ったＳＩに基づくＥＰＧ表示、マニュアル予約における番組情報の提示などが行えることになる。
【００２６】
リモコン送信機１５は、当該放送受信装置３０に指令を送出するための送信機である。このリモコン送信機１５に設けられた図示しないキーを操作すると、そのキーに対応した指令を意味する信号光（リモコン信号）が図示しない発光部から送出される。リモコン受光器１６は、前記信号光を受光し、これを電気信号に変換してＣＰＵ１７に与える。
【００２７】
メモリ（ＲＡＭ、ＥＥＰＲＯＭ、フラッシュメモリ等）１８には、ＥＰＧを表示するためなどに用いられる番組情報の他、後述する予約録画に関する各種設定内容などが格納される。なお、インターネット接続環境を備え、例えば、番組情報提供サイトにアクセスして番組情報をダウンロードし、このダウンロードした番組情報をメモリ１８に記録することも可能である。すなわち、番組情報は放送波により取得することに限定されるものではない。
【００２８】
ＣＰＵ１７は、このディジタル放送受信装置３０における全体制御を行うものであるが、特にこの発明にかかる制御として、予約録画処理などを行うようになっている。先述したごとく、番組情報（ＥＩＴ等）に基づいてＥＰＧ（電子番組表）表示が可能であり、ユーザは、前記ＥＰＧから予約したい番組を選択することができる。
【００２９】
更に、いわゆるマニュアル予約（チャンネルと日と開始時刻と終了時刻とを指定した予約）が行える。このマニュアル予約において、ＣＰＵ１７は、前記チャンネルと日と開始時刻と終了時刻とに基づいて前記メモリ１８から番組情報を取得する番組情報取得部及びこの取得した番組情報に基づいて録画対象となる番組の情報を提示する提示部として機能する。なお、チャンネルが入力されない場合には現在受信チャンネルを録画対象チャンネルとしてもよい。日が入力されない場合には今日を録画日としてもよい。開始時刻が入力されない場合には例えば予めデフォルト設定してある１時間後の時刻を開始時刻としてもよい。終了時刻が入力されない場合には例えば、予めデフォルト設定してある３時間後（開始時刻から）の時刻としてもよい。
【００３０】
図２は、この実施形態のマニュアル予約画面を示した説明図である（番組の情報を提示していない段階を示している）。このマニュアル予約画面において、ユーザーは、チャンネルと日と開始時刻と終了時刻とを指定する。ＣＰＵ１７は、前記マニュアル予約によるチャンネルと日と開始時刻と終了時刻とに基づいて、これらに符合する番組及びその前後の番組についての情報を取得する。そして、前記情報に基づいて例えば横軸を時間軸とし、この時間軸に沿って番組の配列を示すとともに、予約時間帯については他とは区別される色等を付加した画像を生成し、ＯＳＤ回路１９に与える。これにより、図３に示すように、番組配列並びに予約時間帯が明示されたインジケータ画像がディスプレイ上に表される。なお、前記の前後する番組を表示しない形態を採用してもよい。なお、時間軸によらずに前記符合する番組の情報（番組名等）を表示してもよい。
【００３１】
更に、ＣＰＵ１７は、前記番組情報に基づいて判断される番組の放送時間中に前記開始時刻が存在するかどうかを判断する。存在すると判断したとき（例えば、番組Ａとする）、当該番組Ａの途中から録画が行われると判断する。また、前記番組情報に基づいて判断される番組の放送時間中に前記終了時刻が存在するかどうかを判断する。存在すると判断したとき（例えば、番組Ｄとする）、当該番組Ｄの途中で録画が終了すると判断する。また、前記番組情報に基づいて判断される番組の放送時間が前記開始時刻と終了時刻との間に存在するかどうかを判断する。存在すると判断したとき（例えば、番組Ｂ，Ｃとする）、当該番組Ｂ，Ｃは全て録画されると判断する。
【００３２】
かかる処理により、図３の設定例であれば、「途中から録画  番組Ａ」、「全て録画  番組Ｂ」、「途中まで録画  なし」といった表示となる。
【００３３】
図４は、予約途中において、ユーザーが終了時刻を１１時２０分に変更した場合のマニュアル予約画面を示している。この変更に応答してＣＰＵ１７は先述の判断処理を再度行う。図４の設定例であれば、「途中から録画  番組Ａ」、「全て録画  番組Ｂ，番組Ｃ」、「途中まで録画  番組Ｄ」といった表示となる。
【００３４】
図５は、図４の条件でマニュアル予約した後、１０１チャンネルにおいて１１時００分から１１時３０分に放送される予定の番組（番組Ｃ，Ｄ）が別の番組（番組Ｆ）に変更された場合のマニュアル予約画面（確認画面）を示している。番組配列の変更はＰＳＩ／ＳＩによって判断できる。このような変更が行われ場合、「途中から録画  番組Ａ」、「全て録画  番組Ｂ」、「途中まで録画  番組Ｆ」といった表示となる。ＣＰＵ１７は、前記変更を判断した時点で図５に示すマニュアル予約画面を表示してもよい。その時点がテレビＯＦＦであったなら、テレビＯＮ時に表示してもよい。また、先ず変更を知らせるメッセージを表示し、ユーザーがマニュアル予約画面を希望する操作を行ったときにマニュアル予約画面を表示してもよい。
【図面の簡単な説明】
【００３５】
【図１】この発明の実施形態のディジタル放送受信装置を示したブロック図である。
【図２】マニュアル予約画面を示した説明図である。
【図３】マニュアル予約画面を示した説明図である。
【図４】マニュアル予約画面を示した説明図である。
【図５】マニュアル予約画面を示した説明図である。
【符号の説明】
【００３６】
１    アンテナ
２    チューナ
３    デマルチプレクサ（ＤＥＭＵＸ）
３ａ  ＴＳデコーダ
４    ストリーム記録再生部
５    ＩＥＥＥ１３９４インターフェース
７    ＡＶデコーダ
１７  ＣＰＵ
１８  不揮発性メモリ
１９  ＯＳＤ回路
３１  外部録画装置
【図１】
2007060321.tif 000003
【図２】
2007060321.tif 000004
【図３】
2007060321.tif 000005
【図４】
2007060321.tif 000006
【図５】
2007060321.tif 000007